(57)【要約】【課題】設置作業を簡易化させて作業者の負担軽減を図ること。【解決手段】棚支柱３より前方に向けて配設された左右一対のブラケット部材２０と、ブラケット部材２０のそれぞれに対して前後方向にスライド可能に取り付けられた補助側壁部材３０と、棚支持軸４５を介して補助側壁部材３０に支持されることにより、棚支持軸４５を中心に後端縁部が上下に移動可能に配設された棚板４０と、補助側壁部材３０のそれぞれに対して水平姿勢と傾斜姿勢との間で揺動可能に設けられ、ブラケット部材２０に設けられた突部２５に傾斜姿勢で載置される場合に、棚板４０を前端縁部が低くなる態様で傾斜させるアーム部材５０を備え、ブラケット部材２０のそれぞれの内側にガイド支持軸６３を中心に後端部が上下に移動可能に配設されたガイド部材６０を備え、ガイド部材６０は、アーム部材５０が傾斜姿勢で突部２５に載置される場合に、棚板４０に追従して傾斜状態になる。【選択図】図１６
2020089467.tif 000002
【特許請求の範囲】
【請求項１】
上下に延在する棚支柱に後端部が支持され、該棚支柱より前方に向けて配設された左右一対のブラケット部材と、
前記ブラケット部材のそれぞれに対して前後方向にスライド可能に取り付けられた補助側壁部材と、
前端部が棚支持軸を介して前記補助側壁部材に支持されることにより、前記棚支持軸を中心に後端縁部が前記補助側壁部材に対して上下に移動可能に配設され、かつ補助側壁部材の相互間に跨る態様で配置される棚板と、
前記補助側壁部材のそれぞれに対して水平姿勢と傾斜姿勢との間で揺動可能に設けられ、前記ブラケット部材に外側に突出する態様で設けられた突部に前記傾斜姿勢で載置される場合に、前記棚板を前端縁部が低くなる態様で傾斜させるアーム部材と
を備え、前記棚板の上面に商品を載置させる商品載置棚であって、
前記ブラケット部材のそれぞれの内側に前端部がガイド支持軸を介して支持されることにより、前記ガイド支持軸を中心に後端部が前記ブラケット部材に対して上下に移動可能に配設されたガイド部材を備え、
前記ガイド部材は、前記アーム部材が前記傾斜姿勢で前記突部に載置される場合に、前記棚板に追従して、後端部から前端部に向けて漸次低くなる傾斜状態になることを特徴とする商品載置棚。
【請求項２】
前記ガイド部材は、前記棚板が前記ブラケット部材に対して前方にスライドした場合、前記傾斜状態になることを特徴とする請求項１に記載の商品載置棚。
【請求項３】
前記アーム部材は、前記水平姿勢となる場合には、前記棚板を水平にさせるものであり、
前記ガイド部材は、水平となる前記棚板が前記ブラケット部材に対して後方にスライドした場合、該棚板に押圧された水平状態になることを特徴とする請求項２に記載の商品載置棚。
【請求項４】
請求項１〜３のいずれか１つに記載の商品載置棚を備えたことを特徴とするショーケース。
【発明の詳細な説明】
【技術分野】
【０００１】
本発明は、商品載置棚及びショーケースに関するものである。
【背景技術】
【０００２】
従来、例えばスーパーマーケットやコンビニエンスストア等の店舗では、商品を商品載置棚に載置させた状態でケース本体の内部に収納するようにしたショーケースが多く適用されている。商品載置棚は、例えば左右一対のブラケット部材の間に棚板を支持させることによって構成されたものである。
【０００３】
この種のショーケースには、商品を見易くする目的で、あるいは商品載置棚の前方に載置された商品が取り出された場合に後方に載置された商品を前方に滑り出させる目的で、棚板の前端縁部が低くなるように傾斜して配置することができるものが提供されている（例えば、特許文献１参照）。
【先行技術文献】
【特許文献】
【０００４】
【特許文献１】特開２０１８−１２６４８４号公報
【発明の概要】
【発明が解決しようとする課題】
【０００５】
ところで、上述した商品載置棚においては、ショーケースの収納室を複数の温度帯に区画する目的で、棚板の下方である左右一対のブラケット部材の相互間に中間ダクトや仕切板が設置されるものが知られている。このような中間ダクトや仕切板は、ブラケット部材のそれぞれの内側に設けられたガイド部材に挟み込まれるようにして支持されている。
【０００６】
上述したように棚板を前端縁部が低くなるように傾斜して配置する場合、商品を載置するための有効容積の低減を抑制するために、中間ダクト等も棚板の姿勢に応じて傾斜させる必要がある。つまり、ブラケット部材に対してガイド部材を前端部が漸次低くなる態様で傾斜させる必要がある。
【０００７】
そのため、ブラケット部材に対して棚板を傾斜させるだけでなく、該ブラケット部材に対してガイド部材を傾斜させる必要があり、ガイド部材は棚板の下方に配置されるために、設置作業が煩雑なものとなっていた。
【０００８】
本発明は、上記実情に鑑みて、設置作業を簡易化させて作業者の負担軽減を図ることができる商品載置棚及びショーケースを提供することを目的とする。
【課題を解決するための手段】
【０００９】
上記目的を達成するため、本発明に係る商品載置棚は、上下に延在する棚支柱に後端部が支持され、該棚支柱より前方に向けて配設された左右一対のブラケット部材と、前記ブラケット部材のそれぞれに対して前後方向にスライド可能に取り付けられた補助側壁部材と、前端部が棚支持軸を介して前記補助側壁部材に支持されることにより、前記棚支持軸を中心に後端縁部が前記補助側壁部材に対して上下に移動可能に配設され、かつ補助側壁部材の相互間に跨る態様で配置される棚板と、前記補助側壁部材のそれぞれに対して水平姿勢と傾斜姿勢との間で揺動可能に設けられ、前記ブラケット部材に外側に突出する態様で設けられた突部に前記傾斜姿勢で載置される場合に、前記棚板を前端縁部が低くなる態様で傾斜させるアーム部材とを備え、前記棚板の上面に商品を載置させる商品載置棚であって、前記ブラケット部材のそれぞれの内側に前端部がガイド支持軸を介して支持されることにより、前記ガイド支持軸を中心に後端部が前記ブラケット部材に対して上下に移動可能に配設されたガイド部材を備え、前記ガイド部材は、前記アーム部材が前記傾斜姿勢で前記突部に載置される場合に、前記棚板に追従して、後端部から前端部に向けて漸次低くなる傾斜状態になることを特徴とする。
【００１０】
また本発明は、上記商品載置棚において、前記ガイド部材は、前記棚板が前記ブラケット部材に対して前方にスライドした場合、前記傾斜状態になることを特徴とする。
【００１１】
また本発明は、上記商品載置棚において、前記アーム部材は、前記水平姿勢となる場合には、前記棚板を水平にさせるものであり、前記ガイド部材は、水平となる前記棚板が前記ブラケット部材に対して後方にスライドした場合、該棚板に押圧された水平状態になることを特徴とする。
【００１２】
また、本発明に係るショーケースは、上記商品載置棚を備えたことを特徴とする。
【発明の効果】
【００１３】
本発明によれば、ブラケット部材のそれぞれの内側に前端部がガイド支持軸を介して支持されることにより、ガイド支持軸を中心に後端部がブラケット部材に対して上下に移動可能に配設されたガイド部材を備え、このガイド部材が、アーム部材が傾斜姿勢で突部に載置される場合に、棚板に追従して、後端部から前端部に向けて漸次低くなる傾斜状態になるので、従来のように棚板の姿勢とガイド部材の姿勢とを個別に調整する必要がなく、設置作業を簡単なものとすることができる。従って、設置作業を簡易化させて作業者の負担軽減を図ることができるという効果を奏する。
【図面の簡単な説明】
【００１４】
【図１】図１は、本発明の実施の形態である商品載置棚が適用されたショーケース、すなわち本発明の実施の形態であるショーケースを示す斜視図である。
【図２】図２は、図１に示したショーケースにおいて商品載置棚を取り外した状態の斜視図である。
【図３】図３は、図１に示した１つの商品載置棚を示す斜視図である。
【図４】図４は、図１に示した１つの商品載置棚を示す斜視図である。
【図５】図５は、図３及び図４に示した左側のブラケット部材を示す斜視図である。
【図６】図６は、図５に示したブラケット部材に取り付けられる補助側壁部材を示す斜視図である。
【図７】図７は、図３及び図４に示した棚板を示す斜視図である。
【図８】図８は、図３及び図４に示した棚板を示す斜視図である。
【図９】図９は、図７及び図８に示した棚板を補助側壁部材に取り付けた状態を示す斜視図である。
【図１０】図１０は、図４に示した左側のアーム部材を示す斜視図である。
【図１１】図１１は、図５に示したブラケット部材に取り付けられるガイド部材を示す斜視図である。
【図１２】図１２は、アーム部材を水平姿勢にさせて棚板を後方にスライドさせた商品載置棚の断面側面図である。
【図１３】図１３は、図１２に示した商品載置棚を前方から見た断面図である。
【図１４】図１４は、棚板を前方にスライドさせた商品載置棚の断面側面図である。
【図１５】図１５は、アーム部材を傾斜姿勢にさせて棚板を後方にスライドさせた商品載置棚の側面図である。
【図１６】図１６は、アーム部材を傾斜姿勢にさせて棚板を後方にスライドさせた商品載置棚の断面側面図である。
【図１７】図１７は、図１５及び図１６に示した商品載置棚を前方から見た断面図である。
【発明を実施するための形態】
【００１５】
以下、添付図面を参照しながら本発明に係る商品載置棚及びショーケースの好適な実施の形態について詳細に説明する。
【００１６】
図１及び図２は、それぞれ本発明の実施の形態である商品載置棚が適用されたショーケース、すなわち本発明の実施の形態であるショーケースを示したものである。ここで例示するショーケース１は、例えばスーパーマーケットやコンビニエンスストア等の店舗において商品を収容するものである。このショーケース１のケース本体１Ｈには、底面部１Ａ、後面部１Ｂ及び天面部１Ｃが設けてあり、これら底面部１Ａ、後面部１Ｂ及び天面部１Ｃによって囲まれる部分に前面及び両側面が開口した商品収容域１Ｄが構成してある。
【００１７】
図には明示していないが、ケース本体１Ｈの後面部１Ｂは、商品収容域１Ｄの背面を構成する背面板２よりも後方となる部分に通風ダクトが構成してある。通風ダクトは、内部に図示せぬ蒸発器や送風ファンを備えたもので、送風ファンの駆動により、蒸発器を通過した後の冷却された空気を商品収容域１Ｄに供給することが可能である。図からも明らかなように、背面板２は、上方に向けて漸次後方となるように傾斜した状態で配設してある。この背面板２の左右両側部には、背面板２と同様に上方に向けて漸次後方となるように傾斜した状態で上下に延在する棚支柱３が設けてある。
【００１８】
商品収容域１Ｄには、上下に沿って複数段（図示の例では等間隔に８段）の商品載置棚１０が設けてある。尚、各段の商品載置棚１０は、同様の構成を有したものである。従って、以下においては、１つの商品載置棚１０について説明を行う。
【００１９】
図３及び図４は、それぞれ図１に示した１つの商品載置棚１０を示す斜視図である。商品載置棚１０は、ブラケット部材２０、補助側壁部材３０、棚板４０、アーム部材５０及びガイド部材６０を備えて構成してある。
【００２０】
ブラケット部材２０は、棚支柱３から前方に突出するように配設したものである。つまり、ブラケット部材２０は、商品収容域１Ｄに互いに離隔する態様で前方に向けて配設した左右一対のものである。以下においては便宜上、２つのブラケット部材２０において互いに近接した方向を内側と称し、互いに離反した方向を外側と称して説明する。
【００２１】
ブラケット部材２０は、板金等から形成したものであり、図５に示すように、ブラケット底壁部２１、ブラケット外側壁部２２、ブラケット上壁部２３及びブラケット内側壁部２４を一体に成形することによって構成してある。
【００２２】
ブラケット底壁部２１は、前後方向に沿って略水平に延在する平板状部分である。ブラケット外側壁部２２は、ブラケット底壁部２１の外側端部より上方に向けて延在する平板状部分である。このブラケット外側壁部２２は、ブラケット底壁部２１よりも後方に延在しており、前後方向が長手方向となる長尺状部分である。かかるブラケット外側壁部２２は、後端部の上下寸法が前端部の上下寸法よりも大きく形成してあり、該後端部の後端部分には後方に向けて突出する複数の係止片２２ａが形成してある。これら係止片２２ａは、棚支柱３の前面に設けられた係止孔３ａの任意に挿入することが可能である。係止片２２ａを係止孔３ａに挿入した場合には、ブラケット外側壁部２２の後端部分が棚支柱３の前面に当接することになり、ブラケット部材２０を棚支柱３の任意の高さに略水平の片持ち状態で支持させることが可能である。
【００２３】
ブラケット上壁部２３は、ブラケット外側壁部２２の上端縁部より内側に向けて延在し、下面がブラケット底壁部２１の上面に対向する略水平に延在する平板状部分である。ブラケット内側壁部２４は、ブラケット底壁部２１の内側端部より上方に向けて延在する平板状部分である。このブラケット内側壁部２４は、上下寸法がブラケット外側壁部２２の上下寸法よりも小さく、外面がブラケット外側壁部２２の内面に対向している。
【００２４】
そのようなブラケット部材２０には、突部２５が設けてある。突部２５は、ブラケット外側壁部２２の外面における前後方向の略中央部分に外側に突出する態様で設けてある。またブラケット外側壁部２２の内面には、図６に示すように、スライダ７０の外側構成要素７１が取り付けてある。スライダ７０は、従来公知のものであり、外側構成要素７１に対して該スライダ７０を構成する内側構成要素７２が前後方向にスライドすることを許容するものである。かかるスライダ７０については、適宜図示から省略する。
【００２５】
補助側壁部材３０は、板金等から形成したものであり、補助内側壁部３１、補助上壁部３２及び補助外側壁部３３を一体に成形することによって構成してある。
【００２６】
補助内側壁部３１は、前後方向が長手方向となる長尺状の平板状部分である。この補助内側壁部３１の外面には、スライダ７０の内側構成要素７２が取り付けてある。これにより、補助側壁部材３０は、ブラケット部材２０に対して前後方向に沿ってスライド移動可能である。
【００２７】
補助上壁部３２は、補助内側壁部３１の前端側の上端部分より外側に向けて略水平に延在する平板状部分である。補助外側壁部３３は、補助上壁部３２の外側端部より下方に向けて延在する平板状部分である。この補助外側壁部３３は、ブラケット外側壁部２２よりも外側に配置されており、内面がブラケット外側壁部２２の外面に対向している。かかる補助外側壁部３３には、棚支持軸孔３３ａが形成してある。
【００２８】
図７及び図８は、それぞれ図３及び図４に示した棚板４０を示す斜視図である。棚板４０は、載置板４１と、取付部材４２と、係止部材４３とを備えて構成してある。載置板４１は、矩形状を成しており、上面が商品を載置するための載置面を構成している。この載置面には、種々の補強部材が取り付けてある。
【００２９】
取付部材４２は、複数（図示の例では２つ）設けてある。これら取付部材４２は、それぞれ板金等から形成してあり、取付基部４２１、第１取付片部４２２及び第２取付片部４２３を一体に成形することによって構成してある。
【００３０】
取付基部４２１は、前後方向に沿って略水平に延在する平板状部分である。このような取付基部４２１は、載置板４１における下面の左右両端部にそれぞれ取り付けてある。第１取付片部４２２は、取付基部４２１の前端部分の外側端部より下方に延在する平板状部分である。この第１取付片部４２２には、棚支持貫通孔４２２ａが形成してある。第２取付片部４２３は、取付基部４２１の前後方向の中央部分の外側端部より下方に延在する平板状部分である。この第２取付片部４２３には、アーム支持軸孔４２３ａとアームガイド孔４２３ｂとが形成してある。
【００３１】
係止部材４３は、複数（図示の例では２つ）設けてある。これら係止部材４３は、それぞれ板金等から形成してあり、係止基部４３１及び係止作用部４３２を一体に成形することによって構成してある。
【００３２】
係止基部４３１は、前後方向に沿って略水平に延在する平板状部分である。このような係止基部４３１は、載置板４１における下面の左右両端部であって、取付基部４２１よりも内側にそれぞれ取り付けてある。係止作用部４３２は、係止基部４３１の外側端部より下方に延在する部分である。この係止作用部４３２の下端部４３２ａは、内側に屈曲している。より詳細に説明すると、係止作用部４３２の下端部４３２ａは、後方に向かうに連れて漸次下方に傾斜する態様で内側に屈曲している。
【００３３】
このような棚板４０は、図９に示すように、棚支持貫通孔４２２ａを外側から貫通する棚支持軸４５が補助外側壁部３３（補助側壁部材３０）の棚支持軸孔３３ａに貫通して取り付けられることにより、棚支持軸４５を中心に後端縁部が補助側壁部材３０に対して上下に揺動可能に配設してある。
【００３４】
このように棚板４０は、ブラケット部材２０にスライダ７０を介して設けられた補助側壁部材３０に取り付けられることで、補助側壁部材３０の相互間に跨る態様で配置され、前後方向にスライド可能である。
【００３５】
アーム部材５０は、板金等から形成したものであり、図１０に示すように、アーム基部５１、第１アーム当接部５２及び第２アーム当接部５３を一体に成形することによって構成してある。アーム基部５１は、前後方向が長手方向となる長尺状部分である。このアーム基部５１は、前後方向の中央部分の上端部に図示せぬアーム支持貫通孔が形成してあるとともに、このアーム支持貫通孔の前方に長孔形状のアームガイド貫通孔５１ａが形成してある。
【００３６】
アーム部材５０は、アーム支持貫通孔を外側から貫通するアーム支持軸５４が第２取付片部４２３（取付部材４２）のアーム支持軸孔４２３ａに貫通して取り付けられ、アームガイド貫通孔５１ａを外側から貫通するアームガイド軸５５が第２取付片部４２３のアームガイド孔４２３ｂを貫通して取り付けられることにより、アーム支持軸５４を中心として、水平姿勢と、前方に向かうに連れて漸次下方に傾斜する傾斜姿勢との間で揺動可能である。
【００３７】
そして、アーム部材５０は、常態においては水平姿勢に配置されている。更に、アーム部材５０は、取付部材４２に取り付けられているので、上記棚板４０と同様に、前後方向にスライド可能である。
【００３８】
第１アーム当接部５２は、アーム基部５１の前方側上端部より内側に延在する部分である。この第１アーム当接部５２は、図１０に示すように、アーム部材５０が水平姿勢にある場合に、略水平に延在しており、棚板４０を構成する載置板４１の下面に当接している。
【００３９】
第２アーム当接部５３は、アーム支持貫通孔の後方側において、アーム基部５１の上端部より内側に延在する部分である。この第２アーム当接部５３は、アーム部材５０が水平姿勢にある場合に、後方に向かうに連れて漸次下方に傾斜しており、載置板４１の下面からは離隔している。
【００４０】
ガイド部材６０は、板金等から形成したものであり、図１１に示すように、ガイド基部６１及びガイド係止部６２を一体に成形することによって構成してある。ガイド基部６１は、前後方向が長手方向となる長尺状の平板状部分である。ガイド係止部６２は、ガイド基部６１の上端部より外側に延在する部分である。
【００４１】
このようなガイド部材６０は、ガイド基部６１の前端部に形成された図示せぬガイド支持貫通孔を内側から貫通するガイド支持軸６３が、ブラケット内側壁部２４の内面に取り付けられた取付板８０に取り付けられることにより、ガイド支持軸６３を中心に後端部がブラケット部材２０に対して上下に揺動可能に配設してある。
【００４２】
またガイド基部６１の内面には、保持部６４が設けてある。保持部６４は、前後方向が長手方向となる長尺状部分であり、上端部及び下端部が内側に屈曲している。このような保持部６４は、互いに対向する保持部６４との相互間にて、前方から挿入された中間ダクト等を保持するためのものである。
【００４３】
かかるガイド部材６０は、常態においては、自重により後端部が上方に揺動して、後端部から前端部に向けて漸次低くなる傾斜状態となっている（図１４等参照）。
【００４４】
以上のような構成を有する商品載置棚１０においては、アーム部材５０が水平姿勢となって棚板４０が後方にスライドした場合、図１２に示すように、ガイド部材６０は、棚板４０に押圧されて後端部が下方に揺動して水平状態となっている。
【００４５】
このとき、図１３に示すように、係止作用部４３２（係止部材４３）の下端部４３２ａは、ガイド係止部６２の下方において、該ガイド係止部６２から離隔している。またアーム基部５１（アーム部材５０）の下端部５１ｂは、突部２５の下方において、該突部２５から離隔している。更に図には明示していないが、保持部６４の相互間に挿入された中間ダクトも、棚板４０と同様に水平な姿勢となっている。
【００４６】
図１２に示した状態から棚板４０を前方にスライドさせると、ガイド部材６０は、図１４に示すように、自重により傾斜状態となる。そして、アーム部材５０を水平姿勢から傾斜姿勢に揺動させ、傾斜姿勢を維持したまま棚板４０を後方にスライドさせると、図１５に示すように、アーム基部５１の下端部５１ｂが突部２５に接して載置される。これによりアーム部材５０の第２アーム当接部５３が棚板４０を下方から押圧し、棚板４０を前端縁部が低くなる態様で傾斜させる。このように棚板４０を後方にスライドさせてアーム部材５０が傾斜姿勢で突部２５に載置される場合、図１６及び図１７に示すように、ガイド部材６０は、ガイド係止部６２が係止作用部４３２の下端部４３２ａに係止されて、傾斜状態を維持する。このようにガイド部材６０が傾斜状態を維持することで、保持部６４の相互間に挿入された中間ダクトも、棚板４０と同様に、前端縁部が低くなる態様で傾斜することになる。
【００４７】
以上説明したように、本実施の形態である商品載置棚１０においては、棚板４０が後方にスライドして傾斜姿勢のアーム部材５０が突部２５に載置される場合に、ガイド部材６０が、棚板４０に追従して傾斜状態になるので、従来のように棚板の姿勢とガイド部材の姿勢とを個別に調整する必要がなく、設置作業を簡単なものとすることができる。従って、上記商品載置棚１０及びこれを備えたショーケース１によれば、設置作業を簡易化させて作業者の負担軽減を図ることができる。
【００４８】
上記商品載置棚１０及びショーケース１によれば、棚板４０が前方にスライドした場合、ガイド部材６０が傾斜状態になるので、前端縁部が低くなる態様で傾斜する棚板４０を前方にスライドしたときに、係止作用部４３２の下端部４３２ａとガイド係止部６２との係止状態が解除されるが、ガイド部材６０の傾斜状態を維持することができる。これにより、ガイド部材６０が棚板４０との係止状態の解除により勝手に水平状態になる虞れがなく、直下の商品載置棚１０に載置された商品に接触して該商品を損傷させることがない。またガイド部材６０が勝手に水平状態になることにより衝突音等を発生させてしまうことも防止できる。
【００４９】
以上、本発明の好適な実施の形態について説明したが、本発明はこれに限定されるものではなく、種々の変更を行うことができる。
【００５０】
上述した実施の形態では、ガイド部材６０は、常態においては、自重により傾斜状態となるものであったが、本発明においては、ガイド部材は、常態においては、図示せぬバネ等の付勢手段に付勢されて傾斜状態となるものであってもよい。
【００５１】
上述した実施の形態では、ガイド部材６０は、中間ダクトを保持するものであったが、本発明においては、仕切板を保持するものであってもよい。
【符号の説明】
【００５２】
１  ショーケース
２  背面板
３  棚支柱
３ａ  係止孔
１０  商品載置棚
２０  ブラケット部材
２５  突部
３０  補助側壁部材
４０  棚板
４５  棚支持軸
５０  アーム部材
５４  アーム支持軸
６０  ガイド部材
６１  ガイド基部
６２  ガイド係止部
６３  ガイド支持軸
７０  スライダ
【図１】
2020089467.tif 000003
【図２】
2020089467.tif 000004
【図３】
2020089467.tif 000005
【図４】
2020089467.tif 000006
【図５】
2020089467.tif 000007
【図６】
2020089467.tif 000008
【図７】
2020089467.tif 000009
【図８】
2020089467.tif 000010
【図９】
2020089467.tif 000011
【図１０】
2020089467.tif 000012
【図１１】
2020089467.tif 000013
【図１２】
2020089467.tif 000014
【図１３】
2020089467.tif 000015
【図１４】
2020089467.tif 000016
【図１５】
2020089467.tif 000017
【図１６】
2020089467.tif 000018
【図１７】
2020089467.tif 000019